Podtech/llm-jp-corpus-v4-ja_patent huggingface dataset:
(57)【要約】      （修正有）【課題】逆さにしても中身がこぼれ落ちない封筒を提供する。【解決手段】ベロ１付きの封筒において、ベロ１の先端よりの中央寄りの場所に引っ掛け爪２がある。その引っ掛け爪２はベロ先端縁方向とは逆方向に半円弧状に膨らむ形でスリットを備えている。収納部には、ベロを折り返した際に、引っ掛け爪２が差し込める距離に、付属型の約１〜２ｃｍ程度の幅の帯５を備える。帯５は、収納部の収納できる開け口側の天寄りの位置に、収納部と一体型、もしくは付属型とする。【選択図】図３
0003204032.tif 000002
【実用新案登録請求の範囲】
【請求項１】
ベロの先端よりの中央に、ベロ先端縁方向とは逆方向に半円弧状等に膨らむ形でスリットを設けて爪が形成されており、封筒の外裏側（宛名の面とは反対の面）収納部の天寄り近くの位置に、約１〜２ｃｍ幅の横帯、もしくは、スリットのいずれかを備えていることを特徴とする逆さにしても中身が落ちない封筒。
【考案の詳細な説明】
【技術分野】
【０００１】
この発明は、封筒の開封側を逆さにすると内部に収納されていたものが、飛び出して落ちてしまうのを防止できる封筒に関するものである。
【背景技術】
【０００２】
ベロとベロが合わさる収納部の部分に、落下を防止する機能を持ったものとしては、開閉口の折り返し部分にマッジクテープ（登録商標）（特許文献１参照）を用いた封筒、マルタック付きの封筒などが知れていて、封筒本体の素材と異なる別の素材で構成されている。
また、封筒の本体と同一の素材で構成され、落下を防止する機能を持ったものもある。ベロの折り返しを２重にした封筒（特許文献２参照）と、ベロの先端に差し込む爪があり収納部に爪を差し込むためのスリットがある封筒で、図書カード入れなどに利用されている。
【先行技術文献】
【特許文献】
【０００３】
【特許文献１】実用新案登録第３０８２９１８号公報
【特許文献１】実用新案登録第３０８２９１８号公報
【考案の概要】
【考案が解決しようとする課題】
【０００４】
特許文献１に示される先行技術である繰り返し使用できる封筒のタイプでは、ベロとベロが合わさる収納部の部分に、封筒本体とは異なる性質を持った素材が使われていて、コストがかかった。
特許文献２に示される先行技術である封筒本体と同じ素材でできた封筒では、封筒のベロの折り返しを２重に設けた封筒や、ベロに爪と差し込み口を設けた封筒があるが、落下防止の機能は弱く、折り返しによる強度はあるが、のりを使わなかったら、封は簡単に開きやすく、逆さになると中身が落ちてしまう。
また、爪を設けた封筒では、半円弧状の形をしているベロの先端にある爪が、上から収納部のスリットに差し込むだけの機能であり、ベロと封筒の収納部が引っ掛らないため開きやすい。どちらも、重量のある小銭などを封入した際、天地を逆さにして持った時に中身が飛び落ちてしまうことがあった。
【課題を解決するための手段】
【０００５】
ベロ付きの封筒において、ベロの先端よりの中央に、ベロ先端縁方向とは逆方向に半円弧状等に膨らむ形でスリットを設けて爪が形成されており、封筒の外裏面（宛名の面とは反対の面）の収納部の天寄りの位置に約１〜2cm程度の幅の横帯、または、スリットを備える。
以上を特徴とする逆さにしても中身がこぼれ落ちない封筒である。
【考案の効果】
【０００６】
２種類の使い分けが可能である。
一つ目は、ベロを帯の手前に折り、帯と収納部の間に引っ掛け爪を差し込むときは、簡単にベロを止めるときに使用しできる。この使用方法を用いるだけならば、帯の代用として、収納部に天寄りの位置にスリットや、爪を収納できる大きさのポケットを設けることで対応することもできる。
二つ目は、帯と収納部の間からベロを通して、引っ掛け爪を帯の手前に出すときは、しっかりベロを止めることができる。
従来の封筒は、引っ掛け爪を封筒の収納部のスリットに差し込むだけでは、逆さにしたときに引っ掛け爪が引っかかる部分がなく、中身に小銭など重量のあるものを入れると
中身が飛び出してしまうが、引っ掛け爪の先端の向きを反対にすることで、引っ掛け爪を封筒の収納部の一部に引っ掛けることができ、逆さ時における中身の飛び出し防止を防ぐことが可能である。また、帯はスリットよりも、大きく入れやすいため手先が不器用な幼児でも使用が簡単である。
収納物の落下防止もでき、繰り返し使用できるので集金袋やファイルに、この構造を取り入れると便利になる。
【図面の簡単な説明】
【０００７】
【図１】本発明において、ベロを開いた状態を示す正面図
【図２】本発明の使用において、爪を外側へ引っ掛けた状態を示す正面図
【図３】本発明の使用において、爪を外側下へ潜らせて引っ掛けた状態を示す正面図
【考案を実施するための形態】
【０００８】
封筒の天（７）と地（８）を向かせて、収納できる開け口（４）を手前にし、折り返しのべロスジを開いた状態とする。そのとき、収納部（６）の上にベロ（１）があり、その折り返し部分にはべロスジ（３）がある。
ベロの先端よりの中央寄りの場所に引っ掛け爪（２）がある。その引っ掛け爪（２）はベロ先端縁方向とは逆方向に半円弧状に膨らむ形でスリットを備えている。
収納部には、ベロを折り返した際に、引っ掛け爪（２）が差し込める距離に、付属型の約１〜2cm程度の幅の帯（５）を備える。
帯（５）は、収納部の収納できる開け口（４）側の天寄りの位置に、収納部と一体型、もしくは付属型とする。
【符号の説明】
【０００９】
１  ベロ
２  引っ掛け爪
３  ベロスジ
４  開け口
５  帯
６  収納部
７  天
８  地
【図１】
0003204032.tif 000003
【図２】
0003204032.tif 000004
【図３】
0003204032.tif 000005
(57)【要約】      （修正有）【課題】菓子類を食べる際に指を汚さず、かつ誤って指サックを食べたとしても健康に害のない指サックを提供する。【解決手段】菓子類を食べる際の菓子の油や調味料などの汚れを防ぎ、指サック自体の主成分をでんぷんに置き換え、さらに形そのものを扇状の一枚の板にすることで、装着の際の手間を大幅に減らせる効果もあり、万一、指サックを誤飲したとしても体内の体温によりでんぷんは溶け、窒息の心配もない。【選択図】図２
0003204028.tif 000002
【実用新案登録請求の範囲】
【請求項１】
指サックそのものをでんぷんに置き換え、形状を扇状の一枚の板とし、容易に着脱が可能であり、そのまま飲食できる特徴がある食べられる指サック。
【考案の詳細な説明】
【技術分野】
【０００１】      本考案は、一般的に使用されている指サックを食用可能にした、指サックに関するものである。
【背景技術】
【０００２】    スナック菓子類を食べている場合、袋から直接、あるいは溶器に移し替えた上で菓子を必ず指で摘んで食べていた。
【考案の概要】
【考案が解決しようとする課題】
【０００３】    食べようとする際、菓子に付着している調味料や油などで指が汚れてしまう。その度に、指を布巾で拭くなり洗うなりしなければならなかった。従って、指を汚さずに食べることが可能な機能性がある。
【課題を解決するための手段】
【０００４】    本考案は、指サック自体の成分をでんぷんとし、また、指サックの形を扇状の一枚の板にしたことで、指サックをはめるのではなく指に巻き付けるように装着し、また、処理の際には巻いた時と同様に簡単に剥がせるという利点もあり、且つ、指サック自体のでんぷんの粘着効果により摘まんだ食物を落とすことなく食べられ、問題点を解決している。
【考案の効果】
【０００５】    万が一、指サックを飲み込んでしまった場合でも指サックごと食べることが可能であり、廃棄の際には装着した時と同様に簡単に剥がすことができ、しかも自然由来の成分で作られていることで人体ばかりか自然環境への影響も少ない。
【図面の簡単な説明】
【０００６】
【図１】本考案の食べられる指サックの一実施例を示す正面図である。
【図２】本考案を指に巻き付けている図。
【考案を実施するための形態】
【０００７】    指サックを扇状に広げ、狭くなっている方を上側にし、指サック中心からやや上方向に人差し指を乗せ、指サック本体の両端を人差し指の両側から巻くようにくるみ、人差し指の背中側に指サックの片方を乗せ、もう一方をその上に重ね合わせて張り付ける。同様に、親指にもこれを実施することにより、菓子類を摘まんだとしても指を汚すことなく食べることが可能となる。
【実施例】
【０００８】    以下、添付図面に従って一実施例を説明する。扇状に広げた指サック本体、まず、その中心やや上側に人差し指を置く。指サック左右の端ＡとＢのうち、どちら側からでもいいが、ここではＡを人差し指の背に被せる。その後、端ＢをＡのさらに上に重ね合わせ、人差し指が完全に隠れるようにする。同様の手順で、親指にも指サックを装着する。
【図１】
0003204028.tif 000003
【図２】
0003204028.tif 000004
(57)【要約】      （修正有）【課題】効果の持続性や安定性や汎用性にすぐれる絶縁樹脂でラミネートされたアルミ製テープの節電材料を提供する。【解決手段】電子の振動のノイズを除去することのできる３２〜３８テラヘルツの共鳴電磁波を、２０℃〜９０℃の温度条件下で２〜１２時間、絶縁樹脂でラミネート加工されたアルミ製テープに照射することにより、アルミ製テープ自体が転写体となり、当該周波数の共鳴電磁波を外部に放射する。節電テープ１を電線被覆材６の外側にとりつけるだけで、３２〜３８テラヘルツの共鳴電磁波を電線５に放射し、電線を流れる電流をノイズの少ない状態に改質し、節電効果を発揮する。【選択図】図３
0003204030.tif 000002
【実用新案登録請求の範囲】
【請求項１】
電子の振動のノイズを除去することのできる３２〜３８テラヘルツの共鳴電磁波を、２０℃〜９０℃の温度条件下で２〜１２時間、絶縁樹脂でラミネート加工されたアルミ製テープに照射することにより、当該アルミ製テープ自体が、３２〜３８テラヘルツの周波数の共鳴電磁波の転写体となり、当該周波数の共鳴電磁波を外部に放射することを特徴とする絶縁樹脂でラミネートされたアルミ製テープの節電材料。
【考案の詳細な説明】
【技術分野】
【０００１】  本考案は、３２〜３８テラヘルツの共鳴電磁波を、絶縁樹脂でラミネートされたアルミ製テープに照射することにより、当該テープを当該共鳴電磁波の発振体とすることを特徴とする節電材料を提供する。
【背景技術】
【０００２】  従来、節電のために、遠赤外線を放射する物質や磁石を、電線被覆や配線器具の外側に取り付けることにより、導電物質の結晶構造を整列化させて電気抵抗を削減し、節電効果を得る方法が提案されている。【０００３】  また、コンデンサーやインバータを利用して節電する方法も提案されている。
【特許文献１】  特開２００６−２０２７７７
【特許文献２】  特開２００６−３１４１９３
【特許文献３】  特開２０１０−１９７０３７
【特許文献４】  特開２０００−５８３３８
【考案の概要】
【考案が解決しようとする課題】
【０００４】  従来の、節電器具は、遠赤外線や磁力を利用して、導電物質の結晶構造を整列化させ電気抵抗を削減することにより、無駄な抵抗損失を減らすことを目的としたものがほとんどで、遠赤外線の周波数や磁力の大きさによっては、十分な効果が得られないという問題があった。
【課題を解決するための手段】
【０００５】  このような課題を解決するために本考案者は、３２〜３８テラヘルツの共鳴電磁波を、２〜１２時間、２０℃〜９０℃の温度条件下で、絶縁樹脂でラミネートされたアルミ製テープに照射することで、当該テープ自体が当該共鳴電磁波の転写体となり、当該テープ自体が、当該共鳴電磁波の発射体となることを見出し、本考案をなすに至った。【０００６】  すなわち、本考案では、絶縁樹脂でラミネートされたアルミ製テープを、３２〜３８テラヘルツの共鳴電磁波の放射体とし、当該テープを、電線被覆や配線器具の外側に取り付けるだけで、直接導電部に接触することなく、導電部に当該共鳴電磁波を照射することができる。【０００７】  また、当該アルミ製テープから放射される共鳴電磁波の周波数を３２〜３８テラヘルツとすることで、電気抵抗の原因となる電線を流れる電流の細かい電子の振動によるノイズを除去または減少することができる。【０００８】  また、当該テープを電気絶縁性のある樹脂でラミネートすることで、短絡の危険性を防止し安全に節電対策ができる。【０００９】  また、当該テープの裏面に、剥離紙を装着することで、取り付け作業が容易になる。
【考案の効果】
【００１０】  本考案によれば、効果が明確で持続性の高い３２〜３８テラヘルツの共鳴電磁波を放射する絶縁樹脂でラミネートされたアルミ製の節電テープを、低コストで提供できる。【００１１】  本考案による節電テープから放射される３２〜３８テラヘルツの共鳴電磁波は、ゴムやビニール等の絶縁被覆を透過または転写を繰り返すことで、内部の導電体を流れる電流に照射される。【００１２】  当該共鳴電磁波は、電流に乗っている電子の細かいノイズを除去したり、減少することで、電気抵抗による熱損失を抑制し、節電効果を発揮する。【００１３】  また、節電テープに絶縁樹脂をラミネートすることで、配電盤内で使用する場合の短絡の危険性を防止することができる。【００１４】  また、当該節電テープの裏面に剥離紙を付着させることで、配電盤内等の狭い場所での取り付け工事が容易になる。
【考案を実施するための形態】
【００１５】  以下、本考案の実施形態について図面を参照しながら詳細に説明する。
図１は、本考案の節電テープの平面図を示す。
図２は、本考案の節電テープの縦断面図を示す。
図３は、本考案の節電テープが電線に共鳴電磁波を放射する概念の縦断面を示す。
【００１６】  本考案の節電テープ１は、図２に示すようにアルミテープ２と樹脂ラミネート３と剥離紙４で構成される。当該節電テープ１に、３２〜３８テラヘルツの電磁波を、２〜１２時間、２０〜９０℃の温度条件下で照射することにより、当該節電テープ自体を３２〜３８テラヘルツの共鳴電磁波７の転写放射体とする。
【００１７】  図３に示すように、節電テープ１を、電線５の絶縁被覆６に巻き付けると、当該節電テープ１から放射される３２〜３８テラヘルツの共鳴電磁波７で、電線５を流れる電流に乗った電子の細かいノイズが除去または減少される。
【００１８】  電流に乗った電子の細かいノイズは電線５の電気抵抗を大きくし、熱損失を増やすので、当該ノイズを除去または減少させることにより、通電による熱損失を抑制することが出来、節電効果が得られる。
【００１９】  また、当該節電テープ１に樹脂ラミネート２を施すことで、絶縁効果が得られ、配電盤内で使用する場合の短絡の危険性を防止することができる。
【００２０】  また、当該節電テープに剥離紙４を付着させることで、配電盤内等の狭い場所での取り付け工事が容易になる。
【実施例】
【００２１】  新潟県の大型公共施設で電気使用の安定する０時から７時の間の電気使用量を、本考案の節電テープを電気機器用電線の一部に巻きつけて、節電テープ取り付け前後で比較したところ、節電テープの取り付けにより、約２０％の節電効果が確認された。
【産業上の利用可能な分野】
【００２２】  本考案は、住宅や事務所や店舗や工場といった電力使用者ばかりでなく、送電線に応用することで送電損失を抑えることができ、電力産業全体で節電に役立てることができる。
【図面の簡単な説明】
【００２３】
【図１】は、本考案の節電テープの平面図を示す。
【図２】は、図１のＡ断面図を示す。
【図３】は、本考案の節電テープの作用の概念の縦断面図を示す。
【符号の説明】
【００２４】１  節電テープ
２．アルミ製テープ
３  樹脂ラミネート
４．剥離紙
５．電線
６  絶縁被覆
７  共鳴電磁波
【図１】
0003204030.tif 000003
【図２】
0003204030.tif 000004
【図３】
0003204030.tif 000005
(57)【要約】      （修正有）【課題】総基礎のベース筋配筋において、ベース筋ピッチを規定通りの寸法で正確になし得ることができるようにするピッチ矯正鉄筋を提供する。【解決手段】総基礎の隣り合う縦ベース筋１ａ〜１ｃの間又は隣り合う横ベース２ａ〜２ｃの間において、規定の配筋ピッチよりも狭くなっている鉄筋間の直交する方向に、規定の配筋ピッチを維持する長さを有する矯正鉄筋Ｋを設置する。狭くなっている鉄筋間のピッチを適正なピッチに矯正することができる。さらには狭くなっている箇所に隣接する広がっている側のピッチも適正なものに矯正することができる。【選択図】図１
0003204001.tif 000002
【実用新案登録請求の範囲】
【請求項１】
総基礎のベース筋配筋において、ベース筋ピッチを規定通り正確になし得るピッチ矯正筋を提供する。
【考案の詳細な説明】
【技術分野】
【０００１】本考察は、住宅等の総基礎（べた基礎）施工における、ベース筋ピッチ精度を規定通りに施工し得るための施工方法の改善に関するものである。
【背景技術】住宅等の総基礎において、従来の工法はコンクリートブロック等による鉄筋支持用部材Ｓを用いてスラブコンクリート内に埋設されるベース鉄筋の被り厚を一定に保ち、縦ベース鉄筋と横ベース鉄筋は所定のピッチに配置し、交差する部分の半数を交互になまし鉄線Ｗにて結束する。
【考案の概要】
【考案が解決しようとする課題】
【０００３】しかしながら、長さのあるベース筋を使用する事で、鉄筋自体のたわみやすい性質により、縦ベース筋と横ベース筋の交差する部分の半数を結束後も、ベース筋ピッチにズレが発生しているのが実情である。【０００４】図５に示される如く、縦ベース筋１ｂがたわむことで、縦ベース１ａと縦ベース筋１ｂ間のピッチが規定より広がっている場合、縦ベース筋１ｂと縦ベース筋１ｃ間とのピッチは規定より狭くなるのが実情である。
また、横ベース筋に関しても横ベース筋２ａ、横ベース筋２ｂの間のピッチが規定より広がっている場合は横ベース筋２ｂ、横ベース筋２ｃ間のピッチは規定よりも狭くなるのが実情である。【０００５】この考案は上記問題点に鑑みてなされたもので、規定の配筋ピッチを正確に施工することが出来、かつ作業効率及び材料コストにも配慮した方法を提供することを目的とするものである。
【課題を解決するための手段】
【０００６】規定の配筋ピッチよりも狭くなっている鉄筋間の直行する方向に、規定の配筋ピッチを維持し得る長さの矯正鉄筋Ｋを設置したものである。
【考案の効果】
【０００７】矯正鉄筋を設置することで、規定の配筋ピッチより狭くなっている箇所のピッチが広がり適正なピッチに矯正することができる。さらには配筋ピッチより狭くなっている箇所に隣接する、適正な配筋ピッチより広がっている側のピッチも適正なものに矯正することができる。【０００８】鉄筋のたわむ性質を利用し、矯正鉄筋を挟み込んで設置することで鉄筋の交差する部分の、なまし鉄線で結束されていない側の鉄筋の位置を微調整することができる。
【図面の簡単な説明】
【０００９】
【図１】本考案の矯正鉄筋Ｋを設置した状態における配筋施工の様子を示した斜視図
【図２】本考案の矯正鉄筋Ｋを設置した状態における配筋施工の様子を示した断面図
【図３】同じく他の実施例の斜視図である
【図４】同じく他の実施例での断面図である
【図５】従来の配筋施工方法を示す斜視図である
【符号の説明】
【００１０】Ｋ  矯正鉄筋
１ａ、１ｂ、１ｃ  縦ベース鉄筋
２ａ、２ｂ、２ｃ  横ベース鉄筋
Ｓ  鉄筋用指示部材
Ｗ  なまし鉄線
【図１】
0003204001.tif 000003
【図２】
0003204001.tif 000004
【図３】
0003204001.tif 000005
【図４】
0003204001.tif 000006
【図５】
0003204001.tif 000007
【手続補正書】
【提出日】平成28年2月15日(2016.2.15)
【手続補正１】
【補正対象書類名】実用新案登録請求の範囲
【補正対象項目名】全文
【補正方法】変更
【補正の内容】
【実用新案登録請求の範囲】
【請求項１】
総基礎の隣り合う縦ベース筋の間又は隣り合う横ベース筋の間において、当該縦ベース筋又は横ベース筋に直交する方向に設置される矯正鉄筋であって、隣り合うベース筋間の規定の配筋ピッチを維持する長さを有する総基礎のピッチ矯正鉄筋。
(57)【要約】      （修正有）【課題】簡単に外れることはなく、天候図柄等で植物の管理も可能である鉢縁用名札を提供する。【解決手段】板の支持板をＵ字形に設け、さらにＵ字形取り付け部を設け、鉢縁に取り付ける。【選択図】図１
0003172611.tif 000002
【実用新案登録請求の範囲】
【請求項１】
任意の形状の板に断面Ｕ字形の鉢縁用の取り付け部を設けて成ることを特徴とする鉢縁用名札。
【考案の詳細な説明】
【技術分野】
【０００１】  本考案は植木鉢に関する鉢縁用名札に関わるものである。
【背景技術】
【０００２】  従来の名札は枝に取り付けたり又、円筒状に取り付けたりの為に不便である。
【先行技術文献】
【特許文献】
【０００３】
【特許文献１】特許公開２００５−１８１５１７号公報
【特許文献２】特許公開２００４−２１５６３１号公報
【考案の概要】
【考案が解決しようとする課題】
【０００４】  しかし、これでは草花に取り付け又、大小鉢の取り付けの為に不便を生じるのである。
【課題を解決するための手段】
【０００５】  任意の形状の板に断面Ｕ字形の鉢縁用の取り付け部を設けて成ることを設けた。
【考案の効果】
【０００６】  鉢縁用名札は鉢の大小関係なく鉢縁に取り付けることが出来る、Ｕ字形取り付け部はバネの役目を有し強度と成る又、植物の植え替え時に植物だけが取り除かれ鉢縁用名札はそのまま鉢縁に取り付いて外れない、植物を植え替え後も鉢縁用名札を忘れることはない又、鉢縁用名札に購入した植物の名前又、旅先等で植物を購入した県名入れの鉢縁用名札に月日など記載を設けるのもよい、鉢縁用名札の形状図柄を使用し天候図柄等で植物の管理も可能である。
【図面の簡単な説明】
【０００７】
【図１】  本考案に係わる鉢縁用名札の形状図柄の板１、支持板２の平面図（１）、支持板２をＵ字形取り付け部４を設け鉢縁６に取り付けた断面図（２）、鉢縁用名札を鉢縁６上に取り付けた斜視図（３）である。
【図２】  本考案に係わる鉢縁用名札の形状図柄の板１、支持板２の平面図（１）、支持板２をＵ字形取り付け部４に設けた斜視図（２）、板１とＵ字形取り付け部４を鉢縁６に取り付けた断面図（３）、鉢縁用名札を鉢縁６に取り付けた斜視図（４）、鉢縁用名札を鉢縁６に取り付けた平面図（５）である。
【図３】  本考案に係わる鉢縁用名札の形状図柄の長方形板（１）、丸形（２）、ダイヤ形（３）、楕円形（４）、ハ−ト形（５）、クロ−バ形（６）、太陽形（７）、花形（８）、山形（９）、樹木形（１０）、ダルマ形（１１）、短冊形（１２）、斜視図である。
【図４】  本考案に係わる鉢縁用名札の形状図柄のスカ−ト形（１３）、ズボン形（１４）、扇形（１５）、傘形（１６）、雲形（１７）、蝶形（１８）、パパ形（１９）、ママ形（２０）の斜視図である。
【図５】  本考案に係わる鉢縁用名札の形状図柄の都道府県別名の北海道（２１）、青森県（２２）、秋田県（２３）、岩手県（２４）、山形県（２５）、宮城県（２６）、新潟県（２７）、佐渡（２７ａ）、福島県（２８）の斜視図である。
【図６】  本考案に係わる鉢縁用名札の形状図柄の都道府県別名の富山県（２９）、長野県（３０）、茨城県（３１）、千葉県（３２）、群馬県（３３）、栃木県（３４）埼玉県（３５）、東京都（３６）、山梨県（３７）の斜視図である。
【図７】  本考案に係わる鉢縁用名札の形状図柄の都道府県別名の神奈川県（３８）、静岡県（３９）、愛知県（４０）、石川県（４１）、岐阜県（４２）、福井県（４３）、滋賀県（４４）、三重県（４５）、京都府（４６）の斜視図である。
【図８】  本考案に係わる鉢縁用名札の形状図柄の都道府県別名の奈良県（４７）、兵庫県（４８）、大阪府（４９）、和歌山県（５０）、鳥取県（５１）、岡山県（５２）、島根県（５３）、広島県（５４）、山口県（５５）の斜視図である。
【図９】  本考案に係わる鉢縁用名札の形状図柄の都道府県別名の香川県（５６）、徳島県（５７）、高知県（５８）、愛媛県（５９）、福岡県（６０）、大分県（６１）、佐賀県（６２）、長崎県（６３）、熊本県（６４）の斜視図である。
【図１０】  本考案に係わる鉢縁用名札の形状図柄の都道府県別名の宮崎県（６５）、鹿児島県（６６）、沖縄県（６７）の斜視図である。
【考案を実施するための形態】
【０００８】  本考案に関わる鉢縁用名札図１，２，３，４，５，６，７，８，９，１０に示すように図１の板１に任意の形状図柄の図３〜１０の１〜６７選定し板１の支持板２をＵ字形３に設けさらにＵ字形取り付け部４を有し端５は鉢縁６の内側に引っ掛けをやりやすいようにＵ字形３よりも長く有し鉢縁６に取り付けた断面図（２）と鉢７に取り付け斜視図（３）である又、Ｕ字形取り付け部４はバネの役目を有する為に鉢の大小に取り付け可能である。
【０００９】  図２に示すように板１の形状図柄の図３〜１０の１〜６７選定し板１の支持板２をＵ字形取り付け部４を設けＵ字形取り付け部４の端５は鉢縁６の内側に引っ掛けをやりやすいように板１の下端よりも長く有し鉢縁６に取り付けた断面図（３）と鉢７に取り付け斜視図（４）と平面図（５）である又、Ｕ字形取り付け部４はバネの役目を有する為に鉢の大小に取り付け可能である。
【００１０】  図３〜１０に示すように板１の形状図柄の図３〜１０の１〜６７選定しＵ字形取り付け部４等は上記０００８，０００９の説明文と同様で省略する。
【符号の説明】
【００１１】  １  板              ２  支持板                  ２ａ  都道府県別名
３  Ｕ字形          ４  Ｕ字形取り付け部          ５  端
６  鉢縁            ７  鉢                      ７ａ  鉢底
７ｂ  排水口
【図１】
0003172611.tif 000003
【図２】
0003172611.tif 000004
【図３】
0003172611.tif 000005
【図４】
0003172611.tif 000006
【図５】
0003172611.tif 000007
【図６】
0003172611.tif 000008
【図７】
0003172611.tif 000009
【図８】
0003172611.tif 000010
【図９】
0003172611.tif 000011
【図１０】
0003172611.tif 000012
(57)【要約】      （修正有）【課題】家庭菜園等において、水を使用して、土と石とを分離させる分離器を提供する。【解決手段】底が網状で、上部縁の外側に突出部を設けた篩と、篩が大きな隙間なく内側に入る深型容器とから構成される。【選択図】図４
0003172690.tif 000002
【実用新案登録請求の範囲】
【請求項１】
底が網状で且つその上部縁の外側に突出部を設けた篩と、この篩が大きな隙間なく内側に入る位の深型容器とから構成される、水を用いて土石を分離し、土は畑に戻し、石は畑の外に出すことを可能にさせる土石分離器
【考案の詳細な説明】
【技術分野】
【０００１】
本考案は、家庭菜園等において、土の塊と石とを分離する為、容器と篩と一定量の水とを使用して、土と石とを分離させる分離器に関するものである。                              
【背景技術】
【０００２】
従来、家庭菜園等において、土と石とを分離させる為には篩を用い、堅くなった土の塊は石と共に捨てられていた。又、水を使用する場合でも、流れる水を使うため、水を大量に使い、溶けた土は回収できず、使った水の処理にも困難があった。下記先行技術は培養土を粒度別に篩い分けるものであって、トレーの上で篩を直線的に摺動を行えるようにしたことで主に篩い作業の重力的困難さと培養土の飛び散り防止を解決しようとしたものである。                                  
【先行技術文献】
【特許文献】
【０００３】
【特許文献１】登録実用新案  第３１２１１１９号  公報
【考案の概要】
【考案が解決しようとする課題】
【０００４】
固まり易い土の畑では、篩に掛けた場合、篩上には石と土の塊が残り、このまま捨ててしまえば、畑の土が少なくなってしまう。又、流れる水を使って篩上で洗う場合には、大量の水を必要とし、溶けた土は回収されず、周辺が水浸しになってしまう。本考案は以上の点を解決しようとするものである。上記先行技術では篩が直線的摺動を行うようになっており、これに水を入れれば水がトレーの外に飛び出してしまい、本考案の目的には使えない。                                                              
【課題を解決するための手段】
【０００５】
底が網状で且つその上部縁の外側に突出部を設けた篩と、この篩が大きな隙間なく内側に入る位の深型容器とから構成される土石分離器を用い、これに水を篩の高さの半分位にまで入れ、更に土石を載せて掻き混ぜる。この時容器の底に貯まった土は、上澄みの水を畑外に除いてから畑に戻し、篩に残った石は畑の外に除く。尚上記篩はその縁の突出部により下の容器の縁に掛かり、それ以上下にはおちない。                                      
【考案の効果】
【０００６】
単なる篩においては、篩上に残るものは石と土の塊であり、また、その石にも土が付着しており、これを分離することはできない。本発明においては、従前の単なる篩に水を使うことによって、土が付着した石はこれを洗い、土の塊はこれを溶かして、その結果、石と土とを完全に分離させるものである。又、一定量の容器の水を使うだけなので、流れる水で洗う場合と比べ、大量の水も必要なく、溶けた土も回収でき、周辺に水が溢れることもない。        
【図面の簡単な説明】
【０００７】
【図１】本考案の構成要素の一つで、篩の見取り図である。
【図２】本考案の構成要素の一つで、容器の見取り図である。
【図３】上記の篩と容器とを合体させた状態を表した見取り図である。
【図４】上記の篩と容器とを合体させたものに水を入れ土石を載せた状態を表した断面図である。
【図５】本考案が逆円錐型である場合の見取り図である。
【図６】本考案が角型である場合の見取り図である。
【考案を実施するための形態】
【０００８】
篩は上部の縁の外側に突出部を設けて、容器と合体させたときに、容器の縁に掛かり、それ以上下には落ちないようになっている。篩は土石を乗せて、水であらうときに、洗い安いように十分な深さを持たせる。容器に入れた水の水面は篩の深さの半分位とする。
【実施例】
【０００９】
以下添付図面に従って実施例を説明する。篩２を容器１に合体させると３の状態となり、これに水１０を水面７が篩２の深さの半分位に来るように入れ、更に土石８を篩の網６上に載せる。後はこの土石８と水１０とを手又はヘラ等の道具を使い掻き混ぜることによって、石は洗われて土が付着していない状態で篩の網６上に残り、土は全て溶けて容器１の底に沈殿する９。篩２の外側に突出部を設けた縁４は容器の縁５に掛かりそれ以上下には落ちない。                                      
【符号の説明】
【００１０】
１  容器                                                                          
２  篩                                                                          
３  容器と篩とを合体させたもの                                                  
４  外側に突出部を設けた篩の縁                                                                
５  容器の縁                                                                      
６  篩の網                                                                      
７  水面                                                                          
８  篩に載せた土石                                                              
９  容器の底に沈殿する土                                                          
１０  水
【図１】
0003172690.tif 000003
【図２】
0003172690.tif 000004
【図３】
0003172690.tif 000005
【図４】
0003172690.tif 000006
【図５】
0003172690.tif 000007
【図６】
0003172690.tif 000008
(57)【要約】【課題】液中より発生した気泡が、筐体内部空間に残留して測定対象の液体の電極部への流入を妨げ、電位の測定を阻害することのない電界検出器を提供する。【解決手段】連続気泡により構成された吸水能力を有するスポンジ５で筐体内部の空間２ａを充填し、スポンジ５の毛細管現象を利用して測定対象の液体を、筐体内部空間２ａに導入する。【選択図】          図１
0003172687.tif 000002
【実用新案登録請求の範囲】
【請求項１】
内部に空間が形成された筐体と、前記空間に配設された電極と、前記空間と筐体外部を連通する開口部と、を備える電界検出器において、前記空間を、吸水能力を有する部材により充填したことを特徴とする電界検出器。
【請求項２】
前記吸水能力を有する部材が、連続気泡により構成されるスポンジであることを特徴とする請求項１記載の電界検出器。
【請求項３】
前記スポンジが、セルロースまたは吸水ウレタンで作成されることを特徴とする請求項２記載の電界検出器。
【考案の詳細な説明】
【技術分野】
【０００１】
本考案は、水中（特に海中）に沈めて水中の微小電圧を測定する電界検出器に関する。
【背景技術】
【０００２】
従来、電界検出器は、水中又は海中で電位を測定するために使用するもので、筐体内部の空間に電極部を設け、筐体に設けられた開口部を通して筐体内部の空間に流入する液体と電極部が接触することによって微小電位を測定していた。
【０００３】
図２は、従来の電界検出器を示したものである。電界検出器１１は、筒状の筐体１２と、筐体１２の内部の空間１２ａに配設された電極１３と、電極１３より引き出されたリード線１４と、筐体外部と連通する空間１２ａの開口部１２ｂと、開口部１２ｂにセットされたフィルタ１６を備え、さらに、空間１２ａには、測定対象の液体と同等の液体１５が封入されている。
【０００４】
図３は、従来の電界検出器１１の保管時の状態を示したものである。電界検出器１１の保管時には、空間１２ａに封入された液体１５の液漏れを防ぐため、Ｏリング１８を装着したキャップ１７が筐体１２に外嵌され、ねじ部１９で螺着されている。
【０００５】
微小電位の測定時には、筐体１２からＯリング１８を装着したキャップ１７が外されて、電界検出器１１は、水中に投入される（図２参照）。水中に投入された電界検出器１１は、筐体１２外部の測定対象の液体がフィルタ１６を介して空間１２ａに流入し、空間１２ａに封入されている液体１５と混合および置換し、空間１２ａは測定対象の液体が流入し、電極１３は測定対象の液体と接触し、液体の電位が電極１３によって測定される。なお、電界検出器１１は、通常使い捨てである。
【０００６】
特許文献１には、「電界検出器の筐体開口部に水溶性部材を用いることによって、筐体内部空間のシール機能と液体を取り込む機能を併有させる」手段が開示されている。
【先行技術文献】
【特許文献】
【０００７】
【特許文献１】特開２００９−０４２１３６号公報
【考案の概要】
【考案が解決しようとする課題】
【０００８】
電界検出器１１を水中へ投入した際、空間１２ａ内に残留する空気が、開口部１２ｂに設置されたフィルタ１６の目を塞ぎ、測定対象の液体の流入を阻害することがないように、測定対象の液体と同等の液体が空間１２ａに封入されている。そのため、定期的に封入液体のメンテナンスが必要である。また、封入液体の漏れを防ぐために保管時はキャップをし、使用時に取り外すという作業が必要であるため、取り扱いが面倒である。また、液体を封入しているため、封入液中より発生した気泡が開口部１２ｂに設置されたフィルタ１６の目を塞ぎ、測定対象の液体が流入できないため電位の測定ができない。
【課題を解決するための手段】
【０００９】
前記課題を解決するために、本考案は、内部に空間が形成された筐体と、前記空間に配設された電極と、前記空間と筐体外部を連通する開口部と、を備える電界検出器において、前記空間を、吸水能力を有する部材により充填したものである。
【００１０】
前記吸水能力を有する部材は、連続気泡により構成されたスポンジであることが好適である。
【００１１】
さらに、前記スポンジがセルロース、または吸水ウレタンで作成されることが望ましい。
【考案の効果】
【００１２】
筐体の開口部のフィルタが不要であるため、筐体内部で発生する気泡によって開口部が閉塞されることがない。さらに、水中又は海中への投入時にキャップの取り外しという従来の手作業を必要としないだけでなく、水中又は海中に投入すると同時に筐体外部の液体をスポンジによって筐体内部に導入することができる。しかも、筐体内部空間を塞ぐのは１種類の吸水能力を有する部材だけでよく、部品点数を低減できる。また、封入液体が不要となるのでメンテナンスも不要となる。
【図面の簡単な説明】
【００１３】
【図１】本考案の実施例である電界検出器を示す。
【図２】従来の電界検出器を示す。
【図３】従来の電界検出器の保管時のキャップ装着時の状態を示す。
【考案を実施するための形態】
【００１４】
図１は、本考案の実施例である電界検出器を示したものである。図示電界検出器１は、筐体２と、筐体外部と連通する筐体２の内部の空間２ａに配設された電極３と、電極３より引き出されたリード線４と、空間２ａに充填されたスポンジ５を備える。例えば、スポンジ５を充填しない状態で電界検出器１が構成されていれば、電界検出器１が水中に投入された場合、空間２ａに空気が残留して測定対象の液体と電極３の適正な接触が保障されない。さらに、流体の流れによる液体と電極３の接触状態の変動によりノイズが発生する。これらの理由により、空間２ａにスポンジ５が充填される。
【００１５】
スポンジ５は、内部に気泡を含む多孔質材料であり、内部に含んだ気泡同士が繋がっていない「独立気泡体」と異なり、気泡同士の壁に小さな孔が開いていて気泡同士が繋がっている「連続気泡体」である。したがって、スポンジ５は水中に置かれると毛細管現象により急激に水分を吸い込む。微小電位の測定時には、電界検出器１は水中に投入され、筐体２外部の測定対象の液体が、空間２ａに充填されたスポンジ５によって空間２ａに導入される。したがって、電極３は測定対象の液体と接触し、測定対象の液体の電位が電極３によって測定される。なお、電界検出器１は、通常使い捨てであるが、再使用の場合はスポンジ５を交換する。
【００１６】
また、スポンジ５としては、セルローススポンジ、または吸水ウレタンスポンジが用いられる。例えば、セルローススポンジとしては、富士ケミカル社製の「セルローススポンジ」を用いることもでき、また、吸水ウレタンスポンジとしては、同じく富士ケミカル社製の吸水ウレタンスポンジ「ソフラス」（商品名）を用いてもよい。
【符号の説明】
【００１７】
１、１１  電界検出器
２、１２  筐体
２ａ、１２ａ  空間
３、１３  電極
４、１４  リード線
５        スポンジ
１２ｂ    開口部
１５      液体
１６      フィルタ
１７      キャップ
１８      Ｏリング
１９      ねじ部
【図１】
0003172687.tif 000003
【図２】
0003172687.tif 000004
【図３】
0003172687.tif 000005
(57)【要約】      （修正有）【課題】屋内屋外を問わず、どこででも食することができるうどん入りクレープを提供する。【解決手段】温めたうどん麺全体に溶き卵をからめて、卵を半熟状に加熱して、うどんと卵がくっついたものを、クレープの皮で包む。【選択図】図３
0003172684.tif 000002
【実用新案登録請求の範囲】
【請求項１】
温めたうどん麺全体に溶き卵をからめて、卵を半熟状に加熱して、うどんと卵がくっついたものを、クレープの皮で包むことを特徴とするうどん入りクレープ。
【考案の詳細な説明】
【技術分野】
【０００１】
本願考案は、うどんをクレープの皮で包むことで、どこででも食する事が出来る様にするために考案した、クレープに関するものである。
【背景技術】
【０００２】
従来のうどんは、うどん店等の屋内でしか食べられなかった。
うどんは麺であり、ばらつくものと考えられ、容器に入れ、汁と一緒に食する習慣だった。またうどんと一緒に生野菜を食する習慣もなかった。
【先行技術文献】
【特許文献】
【０００３】
【特許文献１】特開平１０−３０５０７７９号  特許文献１には、容器体の中に、ゆで麺や麺つゆを、それぞれ別の袋に入れて持ち運ぶ事を特徴とする容器入り麺であった。
【考案の概要】
【考案が解決しようとする課題】
【０００４】
しかしながら、上記特許文献１は、ゆで麺と麺つゆを容器内に収納し、外装材で包装した物であり、お湯を注がねばならない不便があった。
本考案は、上記のような課題に鑑み、その課題を解決すべく創案されたものであって、その目的とするところは、屋内屋外を問わず、どこででも食することが出来る様に、クレープの皮で包むことで食事時間の短縮を提供することにある。
【課題を解決するための手段】
【０００５】
本考案は、うどんをクレープの皮で包むことで、上記課題を解決したものである。
【考案の効果】
【０００６】
うどんをクレープと一体化する事で、うどんをそのまま手に持って食べることが出来るので、食べる場所を探さずにすみ、食事時間の短縮出来る効果がある。
【０００７】
うどんとクレープの２種類の味が楽しめる効果がある。
【０００８】
クレープに入っている生野菜を食べるので、野菜不足の解消にもつながる効果がある。
【図面の簡単な説明】
【０００９】
【図１】本考案の平面図である。
【図２】本考案の立面図である。
【図３】本考案の巻紙で巻いたクレープの完成図である。
【考案を実施するための形態】
【００１０】
図１、図２に示す本願の実施形態は、クレープ粉に牛乳、卵、溶かしたバターを混ぜて作った生地を、クレープ焼器(図示せず)の上で、少量垂らして焼き上げたクレープの皮１の上半部に、レタス２を置き、マヨネーズ３を振りかけた上に、別の焼き器(図示せず)で、うどん５と溶き卵４を絡めて半熟状に焼いて、塩コショウ等の味付けを施して、うどん５と溶き卵４をくっつけたものをクレープの皮１の上部に乗せて、上記レタス２、マヨネーズ３、溶き卵４、うどん５をクレープの皮１から落とさないように、クレープの皮１と一緒に巻いて、屋内外のどこででも食べられるように、図３のようにクレープの巻紙６で巻いたクレープ。
【００１１】
上記うどん５の形態を、いろいろな種類のうどん(肉うどん、カレーうどん)等に変えたり、色々な具材(天かす、サクラデンプ)等を乗せることで、また違った味が楽しめる。
【符号の説明】
【００１２】
１  クレープの皮
２  レタス
３  マヨネーズ
４  溶き卵
５  うどん
６  クレープの巻紙
【図１】
0003172684.tif 000003
【図２】
0003172684.tif 000004
【図３】
0003172684.tif 000005
(57)【要約】      （修正有）【課題】充填性がよく、吸音力が高く、ふくらみ度、均一性がよいメルトブローン（熔け射出）不織布製品を提供する。【解決手段】超細繊維原反２と不織布１との二種の材質からなり、超細繊維原反２の両面に不織布１を備え、超細繊維原反２の中の繊維はＶ字形で配列している。【選択図】図１
0003172609.tif 000002
【実用新案登録請求の範囲】
【請求項１】
Ｖ字形のメルトブローン（熔け射出）不織布製品であって、二種の材質からなり、一は、超細繊維原反（２）、二は、両面に不織布（１）からなり、超細繊維原反（２）の中の繊維はＶ文字の形で排列であることを特徴とするＶ字形のメルトブローン（熔け射出）不織布製品。 
【請求項２】
超細繊維原反の両面の不織布（１）は、ＰＰ不織布である請求項１のＶ字形のメルトブローン（熔け射出）不織布製品。
【考案の詳細な説明】
【技術分野】
【０００１】
本考案は、繊維不織製品に関し、Ｖ字形メルトブローン不織布製品に関する。 
【背景技術】
【０００２】
不織布製品は、日常生活で、通常に使用されている。例えば、おしめ、ナプキン、フイルターシリーズ製品などである。不織布製品の性能は、中身の超細繊維と関係が深く、超細繊維のメルトブローンの品質は、メルトブローン不織布製品加工上のポイントである。 
【０００３】
現在、提供されるメルトブローン不織布は、主にテリレン製品を混合して高温高圧空気を注入し、メルトブローン加工で出来上がる。この製品は、切断面にみると、中の繊維の排列はばらばらで、均一性、充填性、ふくらん度などが悪い。
【考案の概要】
【０００４】
本考案からなるメルトブローン不織布は、充填性が高く、理想的なふくらみ度をもち、均一性がよいＶ字形メルトブローン不織布である。 
【０００５】
本考案からなるメルトブローン不織布は、現在の製品の技術弱点を解決するもので、超細繊維原反の両面に不織布を貼り合わせ、超細繊維原反の中の繊維はＶ文字の形で排列される。
【０００６】
超細繊維原反の両面の不織布は、ＰＰ不織布である。
【０００７】
本考案からなるメルトブローン不織布の格別の効果は、超細繊維がＶ文字の形で排列されており、それにより、製品の均一性、充填性、ふくらみ度が、最適となる。 
【考案を実施するための形態】
【０００８】
図を参照して詳しく説明する。 
【０００９】
図１を参照し、本考案からなる、Ｖ字形のメルトブローン（熔け射出）不織布製品を説明する。Ｖ字形のメルトブローン（熔け射出）不織布製品は、二つの材質からなり、超細繊維原反（２）及び、両面に不織布（１）からなる。超細繊維原反（２）の中の繊維はＶ文字の形で排列で、超細繊維原反の両面の不織布は、ＰＰ不織布である。両面不織不の中に超細繊維はＶ文字の形で排列し、充填性がよく、吸音力を高め、ふくらみ度、均一性がよい。
【００１０】
以上の内容は、本考案からなるメルトブローン不織布の好適な選択実施方法であって、本製品の当業者として、本考案の創造思想の前提を離脱しない範囲で若干の変形及び改良は本考案の技術的範囲に属します。 
【図面の簡単な説明】
【００１１】
【図１】本考案からなるメルトブローン不織布の断面図
【符号の説明】
【００１２】
１：不織布
２：超細繊維原反
【図１】
0003172609.tif 000003
【手続補正書】
【提出日】平成23年10月24日(2011.10.24)
【手続補正１】
【補正対象書類名】実用新案登録請求の範囲
【補正対象項目名】全文
【補正方法】変更
【補正の内容】
【実用新案登録請求の範囲】
【請求項１】
Ｖ字形のメルトブローン（熔け射出）不織布製品であって、超細繊維原反（２）と不織布（１）との二種の材質からなり、超細繊維原反（２）の両面に不織布（１）を備え、超細繊維原反（２）の中の繊維はＶ文字の形で配列していることを特徴とするＶ字形のメルトブローン（熔け射出）不織布製品。 
【請求項２】
超細繊維原反の両面の不織布（１）は、ＰＰ不織布である請求項１のＶ字形のメルトブ
ローン（熔け射出）不織布製品。
(57)【要約】      （修正有）【課題】髪の縮毛矯正において、縮毛矯正も完全に行い、なおかつボリュームダウンをしないようにし、自然毛のようなふくらみおよびボリューム感を表現できるようにするヘアーアイロンを提供する。【解決手段】平面に近い曲面を持つ両面加熱曲面プレート１，２のその内表面２の凸曲面半径を凹曲面の７０％〜１００％の半径の曲面にすることにより、平面の両面加熱プレートを有するヘアーアイロン使用時と同等に操作しやすく、なおかつ同等の縮毛矯正が期待でき、その半径の遊びにより両面加熱曲面プレートの曲面の形状が髪に癖つきにくく、また操作次第でふくらみ加減も調整でき、自然なボリューム感、風合い、髪の流れが表現できる。【選択図】図１
0003172657.tif 000002
【実用新案登録請求の範囲】
【請求項１】
髪を挟む両面加熱ヘアーアイロンにおいて、一方の加熱プレートの内表面が平面に近い凹曲面で、他方の加熱プレートの内表面は、平面に近い凹曲面に対して曲面半径がやや小さい凸曲面であることを特徴とするヘアーアイロン。
【請求項２】
加熱プレートの内表面が平面に近い曲面とは凹曲面側の曲面半径が９０ｍｍから１４０ｍｍの円の弧で、平面に近い凹曲面に対して曲面半径がやや小さい凸面側とは、凹曲面の半径の７０％から１００％の半径の曲面である請求項１に記載のヘアーアイロン。
【請求項３】
加熱プレートの保持体の内表面の淵の形状は凹面側と凸面側は異なる請求項１に記載のヘアーアイロン。
【考案の詳細な説明】
【技術分野】
【０００１】
本考案は平面に近い両面加熱曲面プレートにより縮毛矯正に特化し、なおかつ髪にふくらみを持たせることで、自然なボリュームを保持可能なヘアーアイロンに関する。
【背景技術】
【０００２】
従来の両面加熱曲面プレートを有するヘアーアイロンの、その曲面は相補形状曲面で、半径が同じであるため遊びがなく、ヘアーアイロンの曲面形状の癖がつきやすく、平面加熱プレートヘアーアイロンに比べ曲面である為に滑りにくく操作しにくい、またその曲面半径が小さいことから縮毛矯正しながらカールを施術することを主な目的としたものであった。下記特許文献１
【先行技術文献】
【特許文献】
【０００３】
【特許文献１】特開２００３−１０２５３３号公報
【考案の概要】
【考案が解決しようとする課題】
【０００４】
本考案は自然毛のようなふくらみおよびボリューム感を表現できる縮毛矯正用ヘアーアイロンを提供する。
【課題を解決するための手段】
【０００５】
平面に近い両面加熱曲面プレートを有するヘアーアイロンの使用により従来の平面の両面加熱プレートを有するヘアーアイロン使用時と同等の縮毛矯正が期待でき、なおかつ髪に僅かなふくらみを持たせることで、ボリュームが保持できることで、前記課題を解決する。
【０００６】
加熱プレートの曲面については、凹曲面側の曲面半径が９０ｍｍから１４０ｍｍの円の弧で、凸面側の曲面半径は凹曲面の曲面半径の７０％から１００％であり、過熱プレートの曲面の形状の癖がつきにくいあそびを持った曲面半径とし、なおかつあそびを持った曲面半径であるため、操作次第で髪のふくらみ加減が調整できることから１台のヘアーアイロンでさまざまな長さの髪にも対応できる。
【考案の効果】
【０００７】
平面加熱プレートアイロンによる縮毛矯正術はある程度のボリュームダウンは致し方なく、その解決策として平面の両面加熱プレートアイロンでふくらみをつけるべく努力をしても、所詮加熱されるのは平面の両面加熱プレートにはさまれている瞬間であり、真のふくらみをつけることは不可能であったが、この平面に近い両面加熱曲面ヘアーアイロンを利用することで簡単にふくらみをつけることが可能で、なおかつ縮毛矯正も従来からの平面の両面加熱プレートヘアーアイロン使用時と比べ、遜色のない仕上がりが期待できる。
【考案を実施するための形態】
【０００８】
以下本考案の形態を示す図面に基づき説明する。
【０００９】
図１に示す如く、平面に近い加熱曲面プレートと加熱曲面プレートの保持体の形状が違うヘアーアイロン正面図。
【００１０】
図２に示す如く、平面に近い加熱曲面プレートの曲面半径が凹面側と凸面側が違うことをわかりやすくあらわした図１のヘアーアイロン正面図を閉じた状態図。
【図面の簡単な説明】
【００１１】
【図１】平面に近い凹曲面の加熱プレート１とその曲面半径より僅かに小さな半径の凸曲面の加熱プレート２とその凹曲面側保持体５と凸曲面側保持体６のヘアーアイロンにおいて、肌の火傷の危険性を考慮した凹曲面側保持体の淵３と凸曲面側保持体淵４の正面図。
【図２】上記ヘアーアイロンにおいて肌の火傷の危険性を考慮した保持体５・６の淵３・４の状態と、平面に近い凹曲面の加熱プレート１とその曲面半径よりも僅かに小さな曲面半径の凸曲面の加熱プレートの状態がわかりやすい様に両面加熱曲面プレートを閉じた状態の正面図。
【符号の説明】
【００１２】
１    平面に近い凹曲面の加熱プレート（表記例Ｒ＝１３０ｍｍ）
２    平面に近い凸曲面の加熱プレート（表記例凹曲面の７０％のＲ＝９１ｍｍ）
３    保持体の凹曲面側の内表面の淵
４    保持体の凸曲面側の内表面の淵
５    保持体凹曲面側
６    保持体凸曲面側
【図１】
0003172657.tif 000003
【図２】
0003172657.tif 000004
(57)【要約】      （修正有）【課題】別々の下敷きを二枚所持しなくても、一枚の下敷きで、二種類の使い分けが出来る下敷きを提供する。【解決手段】柔らかい下敷き１と、硬い下敷き２を、貼り合わせる。柔らかい下敷きと硬い下敷きが一体的になったので、使い分けがしやすい。柔らかい下敷き１は、軟質の塩化ビニール等であり、この裏面には、硬いプラスチック等の硬い下敷き２が、一体的に設けられている。柔らかい下敷き１と、硬い下敷き２のどちらかに、なんらかの文字か、印が付いていると、柔らかい面と硬い面を判別しやすい。【選択図】図１
0003172629.tif 000002
【実用新案登録請求の範囲】
【請求項１】
一枚の下敷きに柔らかい面と硬い面を設けたことを特徴とする下敷き。
【考案の詳細な説明】
【技術分野】
【０００１】この考案は、書きものに用いる下敷きの構造にかんする。
【背景技術】
【０００２】従来の書きもの用の下敷きの構造は、図２にしめすように、柔らかいタイプのものと、硬いタイプのものとが単一であった。
【考案の概要】
【考案が解決しようとする課題】
【０００３】しかしながら、以上の技術によれば、ペンの種類によって使い分ける場合や、筆圧の加減によって使い分ける場合、二枚の別々の下敷きがなければいけなかった。
そこで、この考案は、別々の下敷きを二枚所持しなくても、一枚の下敷きで、二種類の使い分けが出来る下敷きを提供することを課題とする。
【課題を解決するための手段】
【０００４】以上の課題を解決するために、第一考案は、柔らかい下敷きと、硬い下敷きを貼り合わせたことを特徴とする下敷きである。
【考案の効果】
【０００５】第一考案によれば、柔らかい下敷きと硬い下敷きが一体的になったので、使い分けがしやすい。
【図面の簡単な説明】
【図１】この考案の一実施形態を示す斜視図である。
【図２】従来技術を示す斜視図である。
【考案を実施するための形態】
【０００６】この考案の一実施形態を、図１に示す。
下敷きの１は、軟質の塩化ビニール等であり、この１の裏面には、硬いプラスチック等の２が、一体的に設けられている。
【０００７】「実施形態の効果」
この実施形態によれば、柔らかい下敷き１と、硬い下敷き２のどちらかに、なんらかの文字か、印が付いていると、柔らかい面と硬い面を判別しやすい。
【符号の説明】
【０００８】１  柔らかい下敷き              ２  硬い下敷き
【図１】
0003172629.tif 000003
【図２】
0003172629.tif 000004